(57)【特許請求の範囲】
【請求項１】
ローカルエリアネットワークと他のローカルエリアネットワークとを発信者識別コード通知機能を有する網を介し接続するセキュリティー機能を有するルータにおいて、
網は他のローカルエリアネットワークからの発信信号に、発信者である他のローカルエリアネットワークの他のクライアントを表す発信者識別コードを付加し、
ルータは、網からの着信信号からその発信者識別コードを検出する網インターフェース手段と、予めアクセスが必要な相手の発信者識別コードを登録するためのＩＤ登録手段と、網インターフェース手段が検出した発信者識別コードが前記ＩＤ登録手段に登録されている発信者識別コードと等しい場合にのみ網インターフェース手段を他のローカルエリアネットワークに接続して着信信号との応答を行う判断手段とを備えてなることを特徴とする、
セキュリティー機能を有するルータ。
【発明の詳細な説明】
【０００１】
【発明の属する技術分野】
この発明は、複数のパソコン（パーソナルコンピュータ）、ワークステイション等を接続するローカルエリアネットワーク（以下ＬＡＮとする）における、ＬＡＮ相互間接続のセキュリティーチェックに関する。
【０００２】
【従来の技術】
特定地域の事業所、オフィスビル、工場等において複数のパソコン、ワークステイションを接続し、相互に情報を交換するためのネットワークとしてＬＡＮ（Ｌｏｃａｌ  Ａｒｅａ  Ｎｅｔｗｏｒｋ）が知られている。
【０００３】
ところで、情報化社会の発達やコンピュータの高機能、低価格化等により、その用途や使用環境も多様化し、ある地域のＬＡＮから他の地域のＬＡＮへアクセスして、情報交換を行うといった使われ方が多くなった。このように、各地域毎のＬＡＮを相互に接続して、異なったＬＡＮ内部におけるパソコン（クライアント）相互の情報交換を可能にしたものとして、例えば図３に示す構成のシステムが知られている。
【０００４】
図３において、２はＬＡＮ、３はこのＬＡＮに接続するパソコン、ワークステイション等のクライアント、１は他のＬＡＮと接続するためのルータ、４はＩＳＤＮ等の発信者ＩＤ、つまり発信者識別コード通知機能を有する網、５は他のルータ、６は他のルータを介して接続される他のＬＡＮ、７は他のＬＡＮに接続される他のクライアントである。
【０００５】
このように、網４を介することで自由に他の地域のＬＡＮ６との接続を可能とするものである。ところが、このようなネットワークシステムにおいては、公共の網４を介して接続されるため、ＬＡＮ２内部の重要な情報が、関係のない第３者に渡ってしまうおそれがある。このため、網４を介して接続する相手が、部外者か否かを確かめてから情報の授受を行う必要がある。
【０００６】
そこで、従来よりＬＡＮ間接続のセキュリティーチェックとして、ＭＡＣ（Ｍｅ−ｄｉａ  Ａｃｃｅｓｓ  Ｃｏｎｔｏｒｏｌ）アドレス、ＩＰ（Ｉｎｔｅｒｎｅｔ  Ｐｒｏｔｏｃｏｌ  ）アドレス等のパケットデータによるフィルタリング、信号の暗号化、コールバックといった手法が行われていた。なお、ＩＰアドレスはＴＣＰ／ＩＰのネットワークに接続するコンピュータや通信機器を識別するための番号であり、同じＩＰアドレスを有するコンピュータは存在しない。
【０００７】
【発明が解決しようとする課題】
しかしながら、上記のセキュリティーチェックは、何れも回線の接続後に確認作業を行ったり、再度接続し直して確認を行う等のように、通信のための時間を余分に浪費し、通信コストを余分に要するものであった。また、信号の暗号化は第３者に解読される恐れもある。
【０００８】
この発明はかかる点に鑑みなされたもので、その目的とするところは、他のＬＡＮからの着信の際に、網により付与された発呼者の発信者識別コードを検査し、特定の対地（発呼者）にのみ接続することで、通信時間を短縮し、通信コストのかからないセキュリティー機能を有するルータを提供することにある。
【０００９】
【課題を解決するための手段】
上記課題を解決するため本発明は、ローカルエリアネットワーク２と他のローカルエリアネットワーク６とを発信者識別コード通知機能を有する網４を介し接続するセキュリティー機能を有するルータ１において、網４は他のローカルエリアネットワーク６からの発信信号に、発信者である他のローカルエリアネットワーク６の他のクライアント７を表す発信者識別コードを付加し、ルータ１は網からの着信信号からその発信者識別コードを検出する網インターフェース手段１３と、予めアクセスが必要な相手の発信者識別コードを登録するためのＩＤ登録手段１２と、網インターフェース手段が検出した発信者識別コードが前記ＩＤ登録手段に登録されている発信者識別コードと等しい場合にのみ網インターフェース手段を他のローカルエリアネットワークに接続して着信信号との応答を行う判断手段１１とを備えることとした。
【００１０】
【発明の実施の形態】
次に、本発明の実施の形態について図を参照しつつ説明する。図１は本発明にかかるセキュリティー機能を有するルータを用いた、ネットワークの構成例を示したブロック図である。図３のネットワークとの違いは、ルータ１に判断手段１１とＩＤ登録手段１２とを付加した点にある。その他の構成要素は図３の例と略同様であり、同一構成要素には同一符号を付して説明を省略する。
【００１１】
ＩＤ登録手段１２はＲＡＭ等の半導体記憶素子や、磁気ディスク、光ディスク等の記憶媒体により構成され、クライアント３や図示しないサーバー、あるいは専用の入力装置によりアクセスが必要な相手の発信者識別コードが入力され、格納される。また、図ではルータ１の外部に設けられているように表されているが、実際には記憶媒体が小型のものであれば、ルータ１の内部に格納されている。このように、ルータ１とＩＤ登録手段１２とを一体化したものは、スペースを取らず、取り扱いの点においても優れている。
【００１２】
判断手段１１は網４からの着信があると、網４によって付与された発呼者の発信者識別コードが、前記ＩＤ登録手段１２に記憶されている登録された発信者識別コードの内の、いずれかと同一であるか否かを判断し、同一である場合には着信を受け付けるが、同一でない場合には着信を拒否する。
【００１３】
このようにして、予め登録されている特定の対地からの着信のみを接続するので、通信コストが節約でき、しかもセキュリティー効果が大きい。なお、ＩＤ登録手段１２は記憶媒体としたが、例えばハードディスク、フロッピーディスク等の記憶媒体を備えたノートパソコン等を所定の通信手段でルータ１と接続し、ＩＤ登録手段１２としても良い。このように、ノートパソコン等を用いることにより、記憶媒体へのアクセスが容易となり、発信者識別コードの入出力や管理に便利である。
【００１４】
【実施例】
次に、本発明のより具体的な実施例について説明する。図２は本発明にかかるルータ１のより具体的な構成を示したブロック図である。
【００１５】
図において、１１ａはプロセッサおよびその周辺部品、制御プログラム等により構成される制御部、１３は網インターフェース部、１４は時分割多重化スイッチ等の機能を有するパケット制御部、１５はＬＡＮインターフェース部、１６は発信者識別コード（発信者ＩＤ）である。なお、図１の判断手段１１は主に前記制御部１１ａにて構成される。
【００１６】
ここで、ルータ１はＬＡＮ２と他のＬＡＮ６とを網４を介して接続する装置である。すなわち、ＬＡＮ２を流れるパケットの中継経路を選択する機能を有し、ルーティングを行うとともに、ＯＳＩ（Ｏｐｅｎ  Ｓｙｓｔｅｍｓ  Ｉｎｔｅｒｃｏｎｅｃｔｉｏｎ  ）基本参照モデルの下位３層（物理層、データリンク層、ネットワーク層）の処理を行う機能を備えたものである。
【００１７】
網インターフェース部１３は、ＩＳＤＮ等の網４と接続するための物理的手段（コネクタ等）およびデータ処理手段（通信プロトコルの処理、解析等）を備えている。ＬＡＮインターフェース部１５は、ＬＡＮ２に接続するために必要な、物理的手段（コネクタ等）および信号処理手段（この例ではパケットの授受に必要な機能等）を備えている。パケット制御部１４は、ＬＡＮ２と網４との間のパケットの授受を制御するルーティングに必要な切換機能を有する。また、制御手段１１ａはこれらのルータ１の各部の動作を制御するとともに、網４からの信号を監視し、必要な信号のみをＬＡＮ２内部に導入するといったルーティング機能を担保する。
【００１８】
次に、このような構成のルータ１を用いたネットワークにおいて、他のクライアント７からクライアント３にアクセスする場合の動作について説明する。図１において、他のクライアント７からの発信は、他のＬＡＮ６→他のルータ５→網４→ルータ１の網インターフェース部１３に到達する。この時、網４であるＩＳＤＮ回線により、発信信号に発呼者である他のクライアント７の発信者識別コードが付加されている。
【００１９】
前記網インターフェース部１３は着信信号から発信者コード１６を検出し、制御手段１１ａへ送出する。制御手段１１ａは発信者識別コード１６を受け取ると、ＩＤ登録手段１２内の登録された発信者識別コードを検索し、同等のものがあるか否か、つまり既に登録されているか否かを判断する。着信した発信者識別コードが登録されたものである場合には、制御部１１ａはパケット制御部１４により、網インターフェース部１３とＬＡＮインターフェース部１５とを接続する。
【００２０】
これにより、パケットデータはＬＡＮインターフェース部１５に送られ、ＬＡＮ２を介してクライアント３に到達する。また、発信者識別コード１６が登録されたものでない場合、制御部１１ａはパケット制御部１４をＬＡＮインターフェース部１５に接続しないため、パケットデータはクライアント３に受信されない。
【００２１】
なお、この時制御部１１ａは網インターフェース部１３を介して、発信相手である他のクライアント７に対し、セキュリティーチェックにより接続できない旨のメッセージ、その他の情報を与えることも可能である。そして、このようにすれば、他のクライアント７は接続されない理由を容易に知ることができ、不作為による場合などには不要なアクセスを回避できる。
【００２２】
このように、ＬＡＮ２の入り口であるルータ１により接続相手を検査し、特定の対地に限定しているので、不要な相手との接続を行わずに効率よくセキュリティーの管理を行うことができる。
【００２３】
【発明の効果】
以上のように本発明によれば、他のＬＡＮからの着信の際に発呼者の発信者識別コードを検査し、特定の対地（発呼者）にのみ接続することで、不要な通信時間を削減し、通信コストを節約することができる。
【図面の簡単な説明】
【図１】本発明にかかるセキュリティー機能を有するルータを用いた、ネットワークの１例を示したブロック図である。
【図２】本発明にかかるルータの具体的な構成例を示したブロック図である。
【図３】従来のＬＡＮ相互間の接続構成を示したブロック図である。
【符号の説明】
１    ルータ
２    ＬＡＮ
３    クライアント
４    網
５    他のルータ
６    他のＬＡＮ
７    他のクライアント
１１    判断手段
１１ａ  制御部
１２    ＩＤ登録手段
１３    網インターフェース部
１４    パケット制御部
１５    ＬＡＮインターフェース部
１６    発信者識別コード（発信者ＩＤ）
【図１】
0003607410.tif 000002
【図２】
0003607410.tif 000003
【図３】
0003607410.tif 000004